(57)【要約】    【構成】携帯電話機１０は、タッチパネル１６が設けられたディスプレイ１４などを備える。たとえばロック状態が設定されているときにメニューキー（２２ｃ）などが操作されると、ディスプレイ１４にはロック画面が表示される。このロック画面の両側には所定領域（８０ａ，８０ｂ）が設定されている。この所定領域に対してタッチ操作がされると、そのタッチ操作に対応するタッチ領域を含むように仮無効領域（ＩＡ）が設定される。仮無効領域を示す情報は履歴データとして履歴テーブルに記憶され、複数の履歴データに基づいて無効領域（ＮＡ）の範囲が決定される。そして、ロック状態が解除されると、このようにして決定された無効領域が設定される。    【効果】ロック画面で検出されるタッチ操作に基づいて無効領域が設定されるため、ユーザに無効領域の設定操作を行わせることなく、無効領域を設定することが出来る。【選択図】図１
2014232341.tif 000002
【特許請求の範囲】
【請求項１】
表示部および前記表示部の表面上に設けられるタッチパネルを有し、タッチ操作に基づく所定の処理の実行を制限するロック状態を設定でき、前記ロック状態が設定されているときに前記タッチパネルに対するタッチ操作によって前記ロック状態を解除することができるロック画面が前記表示部に表示される、携帯端末であって、
前記ロック画面の所定領域に対するタッチ操作を検出する検出部、および
前記検出部により前記所定領域に対するタッチ操作が検出されたとき、当該タッチ操作に基づいてタッチ操作を無効にする無効領域を設定する設定部を備える、携帯端末。
【請求項２】
前記所定領域に対するタッチ操作によるタッチ領域を示す情報を履歴データとして記憶する記憶部をさらに備え、
前記決定部は、前記履歴データに基づいて無効領域を決定する、請求項１記載の携帯端末。
【請求項３】
前記設定部によって設定された無効領域に対するタッチ操作が無効であることを通知する通知部をさらに備える、請求項１または２記載の携帯端末。
【請求項４】
前記設定部によって設定された無効領域に対するタッチ操作の回数をカウントするカウント部、
前記カウント部によってカウントされたタッチ操作の回数が所定回数より多いとき、その無効領域を解除するかを判断する判断部、および
前記無効領域を解除すると判断されたとき、前記無効領域を解除する解除部をさらに備える、請求項１ないし３のいずれかに記載の携帯端末。
【請求項５】
前記決定部は、タッチ操作によるタッチ領域に前記所定領域の境界線が含まれているとき、前記所定領域内のタッチ領域に基づいて無効領域を決定する、請求項１ないし４のいずれかに記載の携帯端末。
【請求項６】
前記所定領域は、前記タッチパネルの縁に設定される、請求項１ないし５のいずれかに記載の携帯端末。
【請求項７】
表示部および前記表示部の表面上に設けられるタッチパネルを有し、タッチ操作に基づく所定の処理の実行を制限するロック状態を設定でき、前記ロック状態が設定されているときに前記タッチパネルに対するタッチ操作によって前記ロック状態を解除することができるロック画面が前記表示部に表示される、携帯端末のプロセッサを、
前記ロック画面の所定領域に対するタッチ操作を検出する検出部、および
前記検出部により前記所定領域に対するタッチ操作が検出されたとき、当該タッチ操作に基づいてタッチ操作を無効にする無効領域を設定する設定部として機能させる、無効領域設定プログラム。
【請求項８】
表示部および前記表示部の表面上に設けられるタッチパネルを有し、タッチ操作に基づく所定の処理の実行を制限するロック状態を設定でき、前記ロック状態が設定されているときに前記タッチパネルに対するタッチ操作によって前記ロック状態を解除することができるロック画面が前記表示部に表示される、携帯端末における無効領域設定方法であって、前記携帯端末のプロセッサが、
前記ロック画面の所定領域に対するタッチ操作を検出ステップ、および
前記検出ステップにより前記所定領域に対するタッチ操作が検出されたとき、当該タッチ操作に基づいてタッチ操作を無効にする無効領域を設定する設定ステップを実行する、無効領域設定方法。
【発明の詳細な説明】
【技術分野】
【０００１】
この発明は、携帯端末、無効領域設定プログラムおよび無効領域設定方法に関し、特にタッチパネルを有する携帯端末、無効領域設定プログラムおよび無効領域設定方法に関する。
【背景技術】
【０００２】
背景技術の一例が特許文献１に開示されている。この特許文献１の携帯端末では、無効領域設定アプリケーションが実行されると、アプリケーションが実行されているときにタッチパネルで検知されている接触領域を取得し、その接触領域が無効領域として登録される。
【特許文献１】特開2012-234386号公報［G06F 3/041］
【発明の概要】
【発明が解決しようとする課題】
【０００３】
ところが、特許文献１の携帯端末では、無効領域を登録するためには、使用者は無効領域設定アプリケーションを実行して登録しなければならない。また、使用者が無効領域設定アプリケーションの実行方法を知らなければ、使用者は無効領域を登録することが出来ない。さらに、特許文献１で挙げられる誤操作は携帯端末が把持された時点で生じるため、無効領域設定アプリケーションを実行して無効領域が設定されるまでに誤操作が生じてしまう可能性がある。
【０００４】
それゆえに、この発明の主たる目的は、新規な、携帯端末、無効領域設定プログラムおよび無効領域設定方法を提供することである。
【０００５】
この発明の他の目的は、ユーザに意識させることなく無効領域を設定することが出来る、携帯端末、無効領域設定プログラムおよび無効領域設定方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、表示部および表示部の表面上に設けられるタッチパネルを有し、タッチ操作に基づく所定の処理の実行を制限するロック状態を設定でき、ロック状態が設定されているときにタッチパネルに対するタッチ操作によってロック状態を解除することができるロック画面が表示部に表示される、携帯端末であって、ロック画面の所定領域に対するタッチ操作を検出する検出部、および検出部により所定領域に対するタッチ操作が検出されたとき、当該タッチ操作に基づいてタッチ操作を無効にする無効領域を設定する設定部を備える、携帯端末である。
【０００８】
第１の発明では、携帯端末（１０：実施例において対応する部分を例示する参照符号。以下、同じ。）は、タッチパネル（１６）が設けられた表示部（１４）など有する。たとえば、携帯端末が操作されず所定時間が経過すると、タッチ操作に基づく所定の処理の実行を制限するロック状態が設定される。この状態で携帯端末に対してキー操作がされると、タッチパネルに対するタッチ操作によってロック状態を解除することができるロック画面が表示される。検出部（３０，Ｓ１５）は、ロック画面に設定されている所定領域に（８０ａ，８０ｂ）対するタッチ操作を検出する。たとえば、所定領域でタッチ操作が検出され、かつユーザがロック状態を解除すると、設定部（３０，Ｓ２５）は検出されたタッチ操作に基づいて無効領域（ＮＡ）の範囲を設定する。
【０００９】
第１の発明によれば、ロック画面で検出されるタッチ操作に基づいて無効領域が設定されるため、ユーザに無効領域の設定操作を行わせることなく、無効領域を設定することが出来る。
【００１０】
第２の発明は、第１の発明に従属し、所定領域に対するタッチ操作によるタッチ領域を示す情報を履歴データとして記憶する記憶部をさらに備え、決定部は、履歴データに基づいて無効領域を決定する。
【００１１】
第２の発明では、記憶部（３０，Ｓ１７）は、所定領域でタッチ操作が検出されると、タッチ操作によるタッチ領域を示す履歴データをテーブルなどに記憶させる。そして、決定部は、たとえば複数の履歴データに基づいて無効領域を決定する。
【００１２】
第２の発明によれば、履歴データに基づいて無効領域を決定することで、誤タッチ操作が行われやすい所に無効領域を設定することが出来るようになる。
【００１３】
第３の発明は、第１の発明または第２の発明に従属し、設定部によって設定された無効領域に対するタッチ操作が無効であることを通知する通知部をさらに備える。
【００１４】
第３の発明では、通知部（３０，Ｓ５３）は、たとえば無効領域に対してタッチ操作がされると、無効領域に対するタッチ操作が無効であることを、ポップアップなどを利用してユーザに通知する。
【００１５】
第３の発明によれば、ユーザは無効領域に対してタッチ操作を行ったことを知ることが出来る。
【００１６】
第４の発明は、第１の発明ないし第３の発明のいずれかに従属し、設定部によって設定された無効領域に対するタッチ操作の回数をカウントするカウント部、カウント部によってカウントされたタッチ操作の回数が所定回数より多いとき、その無効領域を解除するかを判断する判断部、および無効領域を解除すると判断されたとき、無効領域を解除する解除部をさらに備える。
【００１７】
第４の発明では、カウント部（３０，Ｓ４９）は、無効領域に対してタッチ操作がされると、無効領域に対するタッチ操作の回数をカウントする。判断部（３０，Ｓ５９）は、カウントされたタッチ操作の回数が所定回数より多くなったとき、その無効領域を解除するかを判断する。このとき、ユーザが無効領域を解除する操作が行えば解除部（３０，Ｓ６１）は無効領域を解除する。
【００１８】
第４の発明によれば、ユーザは無効領域を任意に解除することが出来る。
【００１９】
第５の発明は、第１の発明ないし第４の発明のいずれかに従属し、決定部は、タッチ操作によるタッチ領域に所定領域の境界線が含まれているとき、所定領域内のタッチ領域に基づいて無効領域を決定する。
【００２０】
第５の発明では、タッチパネルにおいて、所定領域と通常の領域とを跨ぐようにタッチ操作がされたとき、タッチ領域に所定領域の境界線が含まれる。このようなタッチ操作がされた場合、所定領域の中には無効領域が設定され、所定領域の外には無効領域が設定されない。
【００２１】
第５の発明によれば、無効領域が設定される範囲を任意に限定することが出来る。
【００２２】
第６の発明は、第１の発明ないし第５の発明のいずれかに従属し、所定領域は、タッチパネルの縁に設定される。
【００２３】
第６の発明によれば、ユーザの誤タッチ操作が検出されやすい所に所定領域が設定される。
【００２４】
第７の発明は、表示部（１４）および表示部の表面上に設けられるタッチパネル（１６）を有し、タッチ操作に基づく所定の処理の実行を制限するロック状態を設定でき、ロック状態が設定されているときにタッチパネルに対するタッチ操作によってロック状態を解除することができるロック画面が表示部に表示される、携帯端末（１０）のプロセッサ（３０）を、ロック画面の所定領域（８０ａ，８０ｂ）に対するタッチ操作を検出する検出部（Ｓ１５）、および検出部により所定領域に対するタッチ操作が検出されたとき、当該タッチ操作に基づいてタッチ操作を無効にする無効領域（ＮＡ）を設定する設定部（Ｓ２５）として機能させる、無効領域設定プログラムである。
【００２５】
第７の発明でも、第１の発明と同様、ロック画面で検出されるタッチ操作に基づいて無効領域が設定されるため、ユーザに無効領域の設定操作を行わせることなく、無効領域を設定することが出来る。
【００２６】
第８の発明は、表示部（１４）および表示部の表面上に設けられるタッチパネル（１６）を有し、タッチ操作に基づく所定の処理の実行を制限するロック状態を設定でき、ロック状態が設定されているときにタッチパネルに対するタッチ操作によってロック状態を解除することができるロック画面が表示部に表示される、携帯端末（１０）における無効領域設定方法であって、携帯端末のプロセッサ（３０）が、ロック画面の所定領域（８０ａ，８０ｂ）に対するタッチ操作を検出ステップ（Ｓ１５）、および検出ステップにより所定領域に対するタッチ操作が検出されたとき、当該タッチ操作に基づいてタッチ操作を無効にする無効領域（ＮＡ）を設定する設定ステップ（Ｓ２５）を実行する、無効領域設定方法である。
【００２７】
第８の発明でも、第１の発明と同様、ロック画面で検出されるタッチ操作に基づいて無効領域が設定されるため、ユーザに無効領域の設定操作を行わせることなく、無効領域を設定することが出来る。
【発明の効果】
【００２８】
この発明によれば、無効領域を設定することが出来る。
【００２９】
この発明の上述の目的、その他の目的、特徴および利点は、図面を参照して行う以下の実施例の詳細な説明から一層明らかとなろう。
【図面の簡単な説明】
【００３０】
【図１】図１はこの発明の一実施例の携帯電話機を示す外観図である。
【図２】図２は図１に示す携帯電話機の電気的な構成を示す図解図である。
【図３】図３は図１に示すディスプレイに表示されるロック画面の一例を示す図解図である。
【図４】図４は図１に示す携帯電話機に設定されているロック状態を解除するときの操作の一例を示す図解図であり、図４（Ａ）は図３に示すロック画面に円周がさらに表示された状態の一例を示し、図４（Ｂ）は図３に示すロックオブジェクトに対して行われるタッチ操作の方向の一例を示し、図４（Ｃ）は待機画面の一例を示す。
【図５】図５は図３に示すロック画面に設定されている所定領域の一例を示す図解図である。
【図６】図６は図５に示す所定領域に対してタッチ操作がされている状態の一例を示す図解図である。
【図７】図７は図６に示すタッチ操作によって検出されるタッチ領域の一例を示す図解図である。
【図８】図８は図１に示すタッチパネルに対して設定される仮無効領域の一例を示す図解図であり、図８（Ａ）は図７に示すタッチ領域と所定領域との位置関係の一例を示し、図８（Ｂ）は設定された仮無効領域の一例を示す。
【図９】図９は図２に示すＲＡＭに記憶される履歴テーブルの構成の一例を示す図解図である。
【図１０】図１０は図８に示す仮無効領域に基づいて設定された無効領域の一例を示す図解図である。
【図１１】図１１は図１に示すディスプレイにポップアップが表示されている状態の一例を示す図解図であり、図１１（Ａ）は無効領域に対してタッチ操作がされている状態の一例を示し、図１１（Ｂ）は通知ポップアップが表示されている状態の一例を示し、図１１（Ｃ）は確認ポップアップが表示されている状態の一例を示す。
【図１２】図１２は図１に示すタッチパネルに対して設定される仮無効領域の一例を示す図解図であり、図１２（Ａ）は図５に示す所定領域に対してタッチ操作がされている状態の他の一例を示し、図１２（Ｂ）は図１２（Ａ）に示すタッチ操作によって検出されるタッチ領域と所定領域との位置関係の一例を示し、図１２（Ｃ）は仮無効領域と所定領域との位置関係の一例を示す。
【図１３】図１３は図１に示すタッチパネルに対して設定される仮無効領域の他の一例を示す図解図であり、図１３（Ａ）は図５に示す所定領域に対してタッチ操作がされている状態のその他の一例を示し、図１３（Ｂ）は図１３（Ａ）に示すタッチ操作によって検出されるタッチ領域と所定領域との位置関係の一例を示し、図１３（Ｃ）は仮無効領域と所定領域との位置関係の他の一例を示す。
【図１４】図１４は図１に示すタッチパネルに対して設定される仮無効領域のその他の一例を示す図解図であり、図１４（Ａ）は図５に示す所定領域に対してタッチ操作がされている状態のさらにその他の一例を示し、図１４（Ｂ）は図１４（Ａ）に示すタッチ操作によって検出されるタッチ領域と所定領域との位置関係の一例を示し、図１４（Ｃ）は仮無効領域と所定領域との位置関係のその他の一例を示す。
【図１５】図１５は図２に示すＲＡＭのメモリマップの一例を示す図解図である。
【図１６】図１６は図２に示すプロセッサのロック状態解除処理の一例を示すフロー図である。
【図１７】図１７は図２に示すプロセッサの無効領域制御処理の一例を示すフロー図である。
【発明を実施するための形態】
【００３１】
図１を参照して、この発明の一実施例の携帯電話機１０は、一例としてスマートフォン（smart phone）であり、縦長の扁平矩形のハウジング１２を含む。ただし、この発明は、タブレット端末、ＰＤＡなど任意の携帯端末に適用可能であることを予め指摘しておく。
【００３２】
ハウジング１２の一方主面（表面）には、表示部として機能する、たとえば液晶や有機ＥＬなどのディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００３３】
ハウジング１２の縦方向一端の主面側にスピーカ１８が内蔵され、縦方向他端の主面側にマイク２０が内蔵される。
【００３４】
ハウジング１２の一方主面には、タッチパネル１６と共に入力操作手段を構成するハードキーとして、この実施例では、通話キー２２ａ、終話キー２２ｂおよびメニューキー２２ｃが設けられる。
【００３５】
たとえば、ユーザは、ディスプレイ１４に表示されたダイヤルキーに対して、タッチパネル１６によってタッチ操作を行うことで電話番号を入力でき、通話キー２２ａを操作して音声通話を開始することができる。終話キー２２ｂを操作すれば、音声通話を終了することができる。なお、この終話キー２２ｂを長押しすることによって、携帯電話機１０の電源をオン／オフすることができる。
【００３６】
また、メニューキー２２ｃを操作すれば、ディスプレイ１４にメニュー画面が表示され、その状態でディスプレイ１４に表示されているソフトキーやメニューアイコンなどに対してタッチ操作を行うことによってメニューを選択し、その選択を確定させることができる。
【００３７】
図２を参照して、図１に示す実施例の携帯電話機１０は、コンピュータまたはＣＰＵと呼ばれるプロセッサ３０などを含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００３８】
プロセッサ３０は、携帯電話機１０の全体制御を司る。記憶部として機能するＲＡＭ４６には、フラッシュメモリ４４に予め設定されているプログラムの全部または一部が使用に際して展開され、プロセッサ３０はこのＲＡＭ４６上のプログラムに従って動作する。なお、ＲＡＭ４６はさらに、プロセッサ３０のワーキング領域ないしバッファ領域として用いられる。
【００３９】
入力装置４０は、図１に示すハードキー２２を含むものである。そのため、ハードキー２２に対するユーザからのキー操作を受け付ける操作受付部を構成する。ユーザが操作したハードキーの情報（キーデータ）はプロセッサ３０に入力される。
【００４０】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指示の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００４１】
Ａ／Ｄ変換器３６には図１に示すマイク２０が接続され、マイク２０からの音声信号はＡ／Ｄ変換器３６を通してディジタルの音声データとしてプロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データに基づく音声がスピーカ１８から出力される。
【００４２】
表示ドライバ４２には図１に示すディスプレイ１４が接続され、したがって、ディスプレイ１４はプロセッサ３０から出力される映像または画像データに従って映像または画像を表示する。つまり、表示ドライバ４２は、プロセッサ３０の指示の下、当該表示ドライバ４２に接続されたディスプレイ１４の表示を制御する。また、表示ドライバ４２は表示する画像データを一時的に記憶するビデオメモリを含む。ディスプレイ１４には、たとえばＬＥＤなどを光源とするバックライトが設けられており、表示ドライバ４２はプロセッサ３０の指示に従って、そのバックライトの明るさや、点灯／消灯を制御する。
【００４３】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示すタッチ開始信号、ユーザによるタッチの終了を示す終了信号、およびユーザがタッチしたタッチ位置を示す座標データをプロセッサ３０に入力する。したがって、プロセッサ３０はこの座標データに基づいて、ユーザがディスプレイ１４に表示されるどのアイコンやキーにタッチしたかを判断することができる。
【００４４】
実施例では、タッチパネル１６は、その表面と表面に接近した指などの物体との間に生じる静電容量の変化を検出する静電容量方式のタッチパネルである。タッチパネル１６は、たとえば１本または複数本の指がタッチパネル１６に触れたことを検出する。そのため、タッチパネル１６はポインティングデバイスとも呼ばれる。タッチパネル制御回路４８は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面に対してタッチ操作を行うことによって、操作位置や、操作方向などを携帯電話機１０に入力する。
【００４５】
本実施例のタッチ操作には、タップ操作、ロングタップ操作、フリック操作、スライド操作などが含まれる。
【００４６】
タップ操作は、タッチパネル１６の表面に指を接触（タッチ）させた後、短時間のうちにタッチパネル１６の表面から指を離す（リリースする）操作である。ロングタップ操作は、所定時間以上、指をタッチパネル１６の表面に接触させ続けた後、指をタッチパネル１６の表面から離す操作である。フリック操作は、タッチパネル１６の表面に指を接触させ、任意の方向へ所定速度以上で指を弾く操作である。スライド操作は、タッチパネル１６の表面に指を接触させたまま任意の方向へ移動させた後、タッチパネル１６の表面から指を離す操作である。
【００４７】
また、上記のスライド操作には、ディスプレイ１４の表面に表示されたオブジェクトに指を触れ、オブジェクトを移動させるスライド操作、いわゆるドラッグ操作も含まれる。
【００４８】
なお、以下の説明では、ドラッグ操作の後、タッチパネル１６の表面から指を離す操作をドロップ操作と呼ぶ。また、タッチ操作、ロングタップ操作、フリック操作、スライド操作、ドラッグ操作およびドロップ操作は、それぞれ「操作」を省略して記述することがある。
【００４９】
また、本実施例のオブジェクトには、機能を実行するためのアイコン、ショートカットアイコン、ファイル、フォルダなどが含まれる。
【００５０】
また、タッチパネル１６の検出方式には、上述した静電容量方式に代えて、抵抗膜方式、超音波方式、赤外線方式および電磁誘導方式などが採用されてもよい。また、タッチ操作はユーザの指だけに限らず、スタイラスペンなどによって行われてもよい。
【００５１】
本実施例の携帯電話機１０は、電話機能のほかに、メール機能などを実行することが可能である。
【００５２】
また、本実施例の携帯電話機１０は、タッチパネル１６に対するユーザの意図しない入力による誤操作を防止するために、タッチ操作に基づく所定の処理の実行を制限するロック状態を設定することができる。たとえば、終話キー２２ｂが操作されると、ディスプレイ１４およびタッチパネル１６の電源がオフにされると共にロック状態が設定される。この状態で、メニューキー２２ｃなどが操作されると、ディスプレイ１４およびタッチパネル１６の電源がオンとなり、タッチパネル１６に対するタッチ操作（解除操作）によってロック状態を解除することができるロック画面（図３参照）が表示される。ただし、ディスプレイ１４の表示が一定時間変化しなくても、ディスプレイ１４は自動的にオフにされ、ロック状態が設定される。
【００５３】
なお、本実施例のロック状態では、ロック画面が表示されるまでは、ディスプレイ１４およびタッチパネル１６の電源がオフにされているため、携帯電話機１０の消費電力が抑えられる。ただし、他の実施例では、タッチパネル１６の電源をオフにすることなく、プロセッサ３０が入力されたタッチ操作を処理しないことで、タッチ操作を無効にしてもよい。
【００５４】
図３を参照して、ロック画面を表示するディスプレイ１４の表示範囲は、状態表示領域６０および機能表示領域６２を含む。状態表示領域６０には、アンテナ３４による電波受信状態を示すアイコン（ピクト）、二次電池の残電池容量を示すアイコンおよび日時が表示される。また、機能表示領域６２には、現在日時７０が表示され、下側にはロックオブジェクトＲＯおよび解除オブジェクトＤＯが表示される。
【００５５】
図４（Ａ）を参照して、ロックオブジェクトＲＯに対してタッチされると、解除オブジェクトＤＯが軌道上に配置されるように円周Ｃが表示される。また、ロックオブジェクトＲＯに対してドラッグが行われると、その表示位置がユーザの指の位置、つまり現在のタッチ位置に合わせて変化する。
【００５６】
図４（Ｂ）を参照して、ロックオブジェクトＲＯに対してドラッグが行われ、ロックオブジェクトＲＯが解除オブジェクトＤＯと重なった状態で、ロックオブジェクトＲＯがドロップされると、ロック状態が解除される。ロック状態が解除されると、図４（Ｃ）に示すようにロック画面に代えて待受画面が表示される。つまり、ユーザは、ロックオブジェクトＲＯをドラッグして、解除オブジェクトＤＯにドロップすることで、ロック状態を解除することが出来る。
【００５７】
図４（Ａ）に示すようにロックオブジェクトＲＯおよび解除オブジェクトＤＯがディスプレイ１４の下側に表示されるため、ユーザはロックオブジェクトＲＯを利用するロック状態の解除操作を片手で容易に行うことができる。また、ユーザは、左右の手のどちらでも、ロック状態の解除操作を行うことができる。
【００５８】
なお、ロックオブジェクトＲＯを解除オブジェクトＤＯにドロップする際は、ロックオブジェクトＲＯが解除オブジェクトＤＯの一部と重なった状態であってもよいし、全部と重なった状態であってもよい。つまり、どちらの状態でドロップされたとしても、ロック状態は解除される。
【００５９】
また、ロック画面には、メール機能などに対応するショートカットオブジェクトが表示されていてもよい。たとえば、ショートカットオブジェクトは円周Ｃ上に表示されるように配置される。そして、ロックオブジェクトＲＯがドラッグされショートカットオブジェクトにドロップされると、ロック状態が解除される共にショートカットオブジェクトと対応する機能が実行される。つまり、ユーザは、ロック状態を解除すると共に機能を実行することが可能となる。
【００６０】
ここで、本願発明では、ロック画面が表示されているときに検出されるタッチ操作に基づいて、誤ったタッチ操作（誤タッチ操作）を無効にする無効領域を、ユーザに意識させることなく設定する。
【００６１】
図５を参照して、タッチパネル１６（ロック画面）の縁には、幅が約２ｍｍの所定領域８０が設定される。たとえば本実施例では、タッチパネル１６の左端に所定領域８０ａが設定され、右端に所定領域８０ｂが設定される。つまり、ユーザの誤タッチ操作が検出されやすい所に所定領域８０が設定される。
【００６２】
図６を参照して、ロック画面に所定領域８０が設定されている状態で携帯電話機１０が手で持たれた場合、所定領域８０ｂに指が誤って触れてしまうことがある。この場合、図７に示すように、指が所定領域８０ｂ（タッチパネル１６）に触れている領域がタッチ操作によるタッチ領域ＴＡとして検出される。
【００６３】
図８（Ａ），（Ｂ）を参照して、所定領域８０ｂおよびタッチ領域ＴＡに着目して、ロック画面が表示されているときに所定領域８０ｂでタッチ操作が検出されると、所定領域８０内のタッチ領域ＴＡを含む仮無効領域ＩＡが設定される。仮無効領域ＩＡは矩形であり、その仮無効領域ＩＡを示す情報が履歴データとして履歴テーブルに記憶される。
【００６４】
図９は履歴テーブルに記憶される履歴データの一例を示す図解図である。履歴テーブルには、ロック画面が表示されているときに検出されたタッチ操作による仮無効領域ＩＡを示す情報が履歴データとして記憶される。履歴データは、仮無効領域ＩＡの左上を示す座標（Ｘ１，Ｙ１）および仮無効領域ＩＡのサイズを示す情報として縦方向の長さ（Ｌ１）が関連付けて記憶される。履歴テーブルには５個の履歴データが記憶され、６個目の履歴データが追加されると、古い履歴データが削除される。そして、本実施例では、無効領域ＮＡは、履歴テーブルに記憶されている履歴データ（仮無効領域ＩＡ）を全て含むように決められる。なお、本実施例では履歴データが記憶される最大数は５個であるが、他の実施例では５個より少なくてもよいし、５個より多くてもよい。
【００６５】
図１０を参照して、ロック状態が解除されると決定された無効領域ＮＡが設定され、ユーザの指が無効領域ＮＡに対してタッチされている状態となる。たとえば、ユーザは、携帯電話機１０を持つときに、略同じ位置に指をかけることがある。そのため、上述のように過去５回分の履歴データに基づいて無効領域ＮＡを決定することで、誤タッチ操作が行われやすい所に無効領域ＮＡを設定することが出来る。これにより、ロック状態を解除した後の誤タッチ操作による誤動作が軽減する。
【００６６】
また、ロック画面で行われる誤タッチに基づいて無効領域ＮＡが設定されるため、ユーザに無効領域ＮＡの設定操作を行わせることなく、無効領域ＮＡを設定することが出来る。
【００６７】
なお、本実施例では、無効領域ＮＡに対するタッチを検出したとしても、その後の処理を実行しないように処理することでタッチ操作を無効にしている。ただし、他の実施例では、無効領域ＮＡと対応するタッチパネル１６の電極に対して電力が供給されないようにしてタッチ操作を無効にしてもよい。また、無効領域ＮＡ内に開始位置が含まれるフリック操作やドラッグ操作などのタッチ操作も無効とされる。さらに、タッチ操作の一部が無効領域ＮＡに含まれていている場合も、そのタッチ操作は無効にされる。
【００６８】
図１１（Ａ）を参照して、無効領域ＮＡに対してタッチ操作がされると、図１１（Ｂ）に示すように通知ポップアップＰ１がディスプレイ１４に表示される。本実施例では、無効領域ＮＡはユーザに意識させずに設定される。そのためタッチ操作を行ったときに反応が無い場合に、ユーザが携帯電話機１０の故障を疑ってしまうことがある。そこで、本実施例では、無効領域ＮＡにタッチ操作がされた場合は、通知ポップアップＰ１を表示することで、タッチ操作が無効にされたことをユーザに通知する。これにより、ユーザは無効領域ＮＡに対してタッチ操作を行ったことを知ることが出来る。この通知ポップアップＰ１は一定時間（たとえば、１秒）が経過すれば、自動的に消去される。また、無効領域ＮＡが設定される前からタッチされている状態、たとえばロック画面でタッチされたままロック状態が解除された場合は、通知ポップアップＰ１は表示されない。
【００６９】
なお、他の実施例では、通知ポップアップＰ１に代えて、音声や、振動および光などによって通知してもよい。また、無効領域ＮＡを視認できるように無効領域ＮＡを着色してもよい。さらに、無効領域ＮＡを着色する場合、タッチ操作に応じて一時的に着色してもよいし、着色された状態を維持するようにしてもよい。
【００７０】
次に、無効領域ＮＡに対するタッチ操作の回数が所定回数（たとえば、５回）を超えた場合は、通知ポップアップＰ１に代えて、無効領域ＮＡを解除するかを確認する確認ポップアップＰ２が表示される。この確認ポップアップＰ２には、無効領域ＮＡを解除することを承認する承認キーＹおよび無効領域ＮＡを解除することを拒否する拒否キーＮが含まれる。そして、承認キーＹに対してタッチ操作がされると無効領域ＮＡが解除される。また、拒否キーＮに対してタッチ操作がされると無効領域ＮＡは解除されない。なお、どちらか一方のキーが操作されると、確認ポップアップＰ２は消去される。また、確認ポップアップＰ２が表示されてから一定時間（たとえば、５秒）が経過すると拒否キーＮが自動的に選択され、確認ポップアップＰ２の表示が消去される。
【００７１】
このように、ユーザは無効領域ＮＡがタッチ操作の邪魔になる場合は、任意に解除することが出来る。
【００７２】
続いて、所定領域８０に対するタッチ操作の一例を図１２−図１４を利用して説明する。まず、図１２（Ａ）−（Ｃ）を参照して、所定領域８０と他の領域とを跨るタッチ操作がされた場合、つまりタッチ領域ＴＡに所定領域８０の境界線が含まれている場合、図１３（Ｃ）に示すように仮無効領域ＩＡは所定領域８０の中に設定される。一方、所定領域８０の外側には仮無効領域ＩＡが設定されない。このように、無効領域ＮＡが設定される範囲を任意に限定することが出来る。
【００７３】
図１３（Ａ）−（Ｃ）を参照して、各所定領域８０ａ，８０ｂのそれぞれに対してタッチ操作がされた場合、図１３（Ｃ）に示すように、複数の所定領域８０ａ，８０ｂのそれぞれに仮無効領域ＩＡ１，ＩＡ２が設定される。
【００７４】
また、図１３（Ｂ）に示すように、１つの所定領域８０ａの中に２つのタッチ領域ＴＡ２，ＴＡ３が含まれている場合、これらのタッチ領域ＴＡを含むように仮無効領域ＩＡ２が設定される。ただし、他の実施例では、図１４（Ａ）−（Ｃ）に示すように、２つのタッチ領域ＴＡ４，ＴＡ５のそれぞれ対応する仮無効領域ＩＡ３，ＩＡ４が設定されてもよい。
【００７５】
なお、他の実施例では、仮無効領域ＩＡの重心位置の平均値に基づいて無効領域ＮＡが設定されてもよい。たとえば、最初の仮無効領域ＩＡのサイズ（長さＬ）に基づいて無効領域ＮＡの標準サイズを設定し、算出された重心位置の平均値に基づいて標準サイズの無効領域ＮＡが決定される。ただし、その他の実施例では、無効領域ＮＡのサイズも複数の仮無効領域ＩＡの平均値とされてもよい。
【００７６】
また、所定領域８０、仮無効領域ＩＡおよび無効領域ＮＡを示す情報は、左上の座標および縦方向の長さを含んでいるが、他の実施例では左上の座標および右下の座標を含んでいてもよい。また、所定領域８０が１か所に設定されており、かつ仮無効領域ＩＡの形状が矩形であれば、仮無効領域ＩＡの左上（右下）の位置を示す座標のうち横方向の座標（Ｘ）は所定領域８０の境界線上に位置することになる。そのため、履歴テーブルに記憶される座標から横領域の座標が省略されてもよい。
【００７７】
また、仮無効領域ＩＡおよび無効領域ＮＡは矩形でなくてもよく、その他の実施例では、タッチ領域ＴＡの形状がそのまま仮無効領域ＩＡおよび無効領域ＮＡに反映されてもよい。
【００７８】
上述では実施例の特徴を概説した。以下では、図１５に示すメモリマップおよび図１６、図１７に示すフロー図を用いて詳細に説明する。
【００７９】
図１５を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶（展開）しておくための領域である。
【００８０】
プログラム記憶領域３０２には、ロック状態を解除するためのロック状態解除プログラム３１０および無効領域ＮＡを解除するための無効領域制御プログラム３１２などが記憶される。なお、プログラム記憶領域３０２には、電話機能およびメール機能などを実行するためのプログラムも含まれる。
【００８１】
続いて、ＲＡＭ４６のデータ記憶領域３０４には、タッチバッファ３３０および仮無効領域バッファ３３２などが設けられると共に、タッチ座標マップ３３４、履歴テーブル３３６、所定領域データ３３８および無効領域データ３４０などが記憶される。また、データ記憶領域３０４には、タッチフラグ３４２、ロックフラグ３４４、無操作カウンタ３４６および操作カウンタ３４８などが設けられる。
【００８２】
タッチバッファ３３０には、タッチパネル制御回路４８が出力するタッチ座標のデータが一時的に記憶される。無効領域バッファ３３２には、タッチ領域ＴＡに基づいて設定される仮無効領域ＩＡを示す情報が一時的に記憶される。
【００８３】
タッチ座標マップ３３４は、タッチ操作におけるタッチ座標とディスプレイ１４の表示座標とを対応付けるためのデータである。つまり、タッチ座標マップ３３４に基づいて、タッチパネル１６に対して行われたタッチ操作の結果が、ディスプレイ１４の表示に反映される。履歴テーブル３３６は、たとえば図９に示すように複数の履歴データが記憶されるテーブルである。所定領域データ３３８は、ロック画面に設定されている所定領域８０を示すデータである。無効領域データ３４０は、履歴テーブル３３６に記憶される履歴データに基づいて決定された無効領域ＮＡを示す情報を含む。
【００８４】
タッチフラグ３４２は、タッチパネル１６に対してタッチされているか否かを判断するためのフラグである。たとえば、タッチフラグ３４２は、１ビットのレジスタで構成される。タッチフラグ３４２がオン（成立）されると、レジスタにはデータ値「１」が設定される。一方、タッチフラグ３４２がオフ（不成立）されると、レジスタにはデータ値「０」が設定される。なお、タッチフラグ３４２は、タッチパネル制御回路４８が出力する信号に基づいてオン／オフが切り換えられる。
【００８５】
また、ロックフラグ３４４は、ロック状態が設定されているか否かを示すためのフラグである。たとえば、ロックフラグ３４４は、ディスプレイ１４およびタッチパネル１６の電源をオフにする処理に応じてオンにされる。また、ロックフラグ３４４は、上述したロック状態解除プログラム３１０の処理に応じてオフにされる。そして、ロックフラグ３４４の構成は、タッチフラグ３４２と略同じであるため、構成についての詳細な説明は省略する。
【００８６】
無操作カウンタ３４６は、操作されていない時間（無操作時間）を計測するためのカウンタであり、無操作カウンタ３４６は初期化されると、カウントを開始し所定時間（たとえば３０秒）が経過すると満了する。そのため、無操作カウンタ３４６は無操作タイマと呼ばれることもある。操作カウンタ３４８は、無効領域ＮＡに対してタッチされた回数をカウントするためのカウンタである。たとえば、操作カウンタ３４８の値は、無効領域ＮＡにタッチ操作がされる毎にインクリメントされる。
【００８７】
なお、データ記憶領域３０４には、待機状態で表示される画像データや、文字列のデータなどが記憶されると共に、携帯電話機１０の動作に必要なカウンタや、フラグも設けられる。
【００８８】
プロセッサ３０は、Ａｎｄｒｏｉｄ（登録商標）およびＲＥＸなどのＬｉｎｕｘ（登録商標）ベースのＯＳや、その他のＯＳの制御下で、図１６に示すロック状態解除処理および図１７に示す無効領域制御処理などを含む複数のタスクを並列的に処理する。
【００８９】
ロック状態解除処理は、ロック状態が設定された状態（ロックフラグ３４４がオン）で、終話キー２２ｂなどに対して操作がされると実行される。
【００９０】
ステップＳ１でプロセッサ３０は、ディスプレイ１４の電源をオンにする。続いて、ステップＳ３でプロセッサ３０は、ロック画面を表示する。たとえば、ロック画面を表示するために必要なデータを読み出して、ディスプレイ１４の機能表示領域６２に対して、図３に示すようなロック画面を表示する。
【００９１】
続いて、ステップＳ５でプロセッサ３０は無操作タイマを実行する。つまり、無操作カウンタ３４６が初期化される。
【００９２】
続いて、ステップＳ７でプロセッサ３０は、タッチされたか否かを判断する。つまり、タッチパネル１６に対してタッチ操作がされタッチフラグ３４２がオンであるかが判断される。ステップＳ７で“ＮＯ”であれば、つまりタッチ操作がされていなければ、ステップＳ９でプロセッサ３０は、無操作タイマが満了したか否かが判断される。つまり、携帯電話機１０に対して操作がさていない状態で所定時間が経過したかが判断される。ステップＳ９で“ＹＥＳ”であれば、つまり無操作の状態で所定時間が経過すると、プロセッサ３０はステップＳ２３に進む。一方、ステップＳ９で“ＮＯ”であれば、無操作の状態で所定時間が経過していなければステップＳ７に戻る。
【００９３】
ステップＳ７で“ＹＥＳ”であれば、つまりタッチ操作がされると、ステップＳ１１でプロセッサ３０は無操作タイマを初期化する。つまり、無操作の状態で所定時間が経過するまえにタッチ操作がされたため、無操作カウンタ３４６が再び初期化される。
【００９４】
続いて、ステップＳ１３でプロセッサ３０は、解除操作か否かを判断する。たとえば、図４に示す解除操作がされたかが判断される。ステップＳ１３で“ＮＯ”であれば、つまり解除操作がされていなければ、ステップＳ１５でプロセッサ３０は、所定領域８０にタッチされたか否かを判断する。つまり、プロセッサ３０は、タッチバッファ３３０に記憶されているタッチ領域ＴＡの座標が所定領域データ３３８によって示される所定領域８０の中に含まれているかを判断する。ステップＳ１５で“ＮＯ”であれば、つまり所定領域８０に対してタッチ操作がされていなければ、ステップＳ７の処理に戻る。なお、ステップＳ１５の処理を実行するプロセッサ３０は検出部として機能する。
【００９５】
一方、ステップＳ１５で“ＹＥＳ”であれば、たとえば図６に示すように所定領域８０ｂに対してタッチ操作がされていれば、ステップＳ１７でタッチ操作に基づく仮無効領域ＩＡを履歴テーブル３３６に記憶する。たとえば、図６に示すように所定領域８０ｂに対してタッチされている場合、図７に示すタッチ領域ＴＡに基づいて図８（Ｂ）に示す仮無効領域ＩＡが設定され、その仮無効領域ＩＡを示す情報が仮無効領域バッファ３３２に記憶される。そして、仮無効領域バッファ３３２に記憶される情報は履歴データとして履歴テーブル３３６に記憶される。続いて、ステップＳ１９でプロセッサ３０は、複数の履歴データに基づいて無効領域ＮＡを決定する。たとえば、複数の仮無効領域ＩＡと対応する履歴データが履歴テーブル３３６に記憶されている場合、複数の仮無効領域ＩＡが含まれるように無効領域ＮＡが決定され、無効領域ＮＡを示す情報は無効領域データ３４０として記憶される。そして、ステップＳ１９の処理が終了すると、ステップＳ７に戻る。なお、ステップＳ１７の処理を実行するプロセッサ３０は記憶部として機能し、ステップＳ１９の処理を実行するプロセッサ３０は決定部として機能する。
【００９６】
また、ステップＳ１３で“ＹＥＳ”であれば、つまり解除操作がされるとステップＳ２１でプロセッサ３０はロック状態を解除する。続いて、ステップＳ２３でプロセッサ３０は、無効領域ＮＡが決定しているか否かを判断する。つまり、無効領域データ３４０が無効領域ＮＡを示す情報を含んでいるかが判断される。ステップＳ２３で“ＮＯ”であれば、たとえば所定領域８０に対してタッチ操作がされておらず、無効領域ＮＡが決定していなければ、プロセッサ３０はロック状態解除処理を終了する。
【００９７】
一方、ステップＳ２３で“ＹＥＳ”であれば、たとえば図６に示すように所定領域８０に対してタッチ操作がされていれば、ステップＳ２５でプロセッサ３０は、無効領域ＮＡを設定する。たとえば、無効領域データ３４０に基づいて、図１０に示すような無効領域ＮＡが設定される。そして、ステップＳ２５の処理が終了すれば、プロセッサ３０はロック状態解除処理を終了する。なお、ステップＳ２５の処理を実行するプロセッサ３０は設定部として機能する。
【００９８】
図１７は無効領域制御処理のフロー図である。ロック状態が解除されると、プロセッサ３０は無効領域制御処理を実行する。ステップＳ４１でプロセッサ３０は、無効領域ＮＡに対してタッチされたか否かを判断する。つまり、プロセッサ３０は、タッチバッファ３３０に記憶されているタッチ位置が、無効領域データ３４０によって示される無効領域ＮＡに含まれているかを判断する。なお、ステップＳ４１で検出されたタッチ操作に応じて、所定の処理が実行されることはない。
【００９９】
ステップＳ４１で“ＮＯ”であれば、つまり無効領域ＮＡに対してタッチされていなければ、ステップＳ４３でプロセッサ３０は、ロック状態が設定されたか否かを判断する。たとえば、プロセッサ３０は終話キー２２ｂが押下され、ロックフラグ３４４がオンになったかを判断する。ステップＳ４３で“ＹＥＳ”であれば、つまりロック状態が設定されると、プロセッサ３０は、ステップＳ４５で無効領域ＮＡを解除し、ステップＳ４７で操作カウンタ３４８を初期化して、無効領域制御処理を終了する。つまり、無効領域データ３４０に含まれる無効領域ＮＡの情報を消去し、操作カウンタ３４８によってカウントされた回数が初期化される。一方、ステップＳ４３で“ＮＯ”であれば、たとえばロック状態を設定する操作がされなければ、プロセッサ３０はステップＳ４１に戻る。
【０１００】
ステップＳ４１で“ＹＥＳ”であれば、つまり無効領域ＮＡに対してタッチ操作がされると、ステップＳ４９でプロセッサ３０は、操作カウンタ３４８をインクリメントする。つまり、無効領域ＮＡに対する操作回数がカウントされる。続いて、ステップＳ５１でプロセッサ３０は操作回数が所定回数よりも多いか否かを判断する。つまり、操作カウンタ３４８によってカウントされた操作回数が所定回数（たとえば、５回）よりも多いかが判断される。ステップＳ５１で“ＮＯ”であれば、つまり操作回数が所定回数よりも少なければ、ステップＳ５３でプロセッサ３０は、通知ポップアップＰ１を表示する。たとえば、図１１（Ｂ）に示すように、通知ポップアップＰ１がディスプレイ１４に表示される。そして、通知ポップアップＰ１を表示してから一定時間が経過すると、プロセッサ３０は通知ポップアップＰ１の表示を消去してから、ステップＳ４１の処理に戻る。なお、ステップＳ４９の処理を実行するプロセッサ３０はカウント部として機能し、ステップＳ５３の処理を実行するプロセッサ３０は通知部として機能する。
【０１０１】
一方、ステップＳ５１で“ＹＥＳ”であれば、つまり操作回数が所定回数より多ければ、ステップＳ５５でプロセッサ３０は、確認ポップアップＰ２を表示する。たとえば、図１１（Ｃ）に示すように、無効領域ＮＡの解除を確認する確認ポップアップＰ２がディスプレイ１４に表示される。続いて、ステップＳ５７でプロセッサ３０は、操作カウンタ３４８を初期化する。つまり、操作回数が所定回数よりも多い状態となったため、操作カウンタ３４８によってカウントされた操作回数が初期化される。
【０１０２】
続いて、ステップＳ５９でプロセッサ３０は、解除するか否かを判断する。たとえば、プロセッサ３０は、無効領域ＮＡの解除を承諾する承諾キーＹが操作されたかを判断する。ステップＳ５９で“ＮＯ”であれば、たとえば拒絶キーＮが操作されると、ステップＳ４１に戻る。一方、ステップＳ５９で“ＹＥＳ”であれば、たとえば承諾キーＹが操作されると、ステップＳ６１でプロセッサ３０は、ステップＳ４５と同様、無効領域ＮＡを解除する。なお、ステップＳ５９の処理を実行するプロセッサ３０は判断部として機能し、ステップＳ６１の処理を実行するプロセッサ３０は解除部として機能する。
【０１０３】
続いて、ステップＳ６３でプロセッサ３０は、ステップＳ４３と同様、ロック状態が設定されたか否かを判断する。ステップＳ６３で“ＮＯ”であれば、たとえばロック状態を設定する操作がされなければ、プロセッサ３０はステップＳ６３の処理を繰り返す。一方、ステップＳ６３で“ＹＥＳ”であれば、たとえばロック状態を設定する操作がされると、プロセッサ３０は無効領域制御処理を終了する。
【０１０４】
なお、ロック状態解除処理では、所定領域８０でタッチ操作が検出されていなくても、履歴データが記憶されていればロック状態が解除された後に無効領域ＮＡが設定されてもよい。また、無効領域制御処理では、ロック状態が設定されても、無効領域ＮＡが解除されないようにしてもよい。
【０１０５】
また、解除された無効領域ＮＡは、一定時間が経過すると再度設定されるようにしてもよい。
【０１０６】
また、他の実施例の無効領域制御処理では、操作回数のカウントは所定時間毎に初期化されてもよいし、ディスプレイ１４の表示内容が切り替えられる度に初期化されてもよい。たとえば、ディスプレイ１４の表示内容によって無効領域ＮＡに触れる回数や触れる位置は異なると考えられる。そのため、上記の他の実施例では、ユーザの操作に応じた無効領域ＮＡの解除／設定をより適切に行うことが出来る。
【０１０７】
また、無効領域ＮＡの設定の有効／無効が、所定のアプリケーションの実行中や所定の画面の表示中に行われることとしてもよい。たとえば、操作頻度が高いＷｅｂ画面やメールアプリケーションに関する画面の表示中は無効領域ＮＡの設定を有効する。一方、操作頻度が低いＴＶアプリケーションや電子書籍のブラウザに関する画面の表示中は無効領域ＮＡの設定を無効とする。また、画面全体に操作対象が表示されるホーム画面やゲームアプリケーションに関する画面などが表示されているときは無効領域ＮＡの設定が無効にされてもよい。
【０１０８】
また、上述の実施例では、所定回数などの閾値に対して「より多い」の言葉を用いたが、「閾値より多い」という表現には「閾値以上」の意味も含まれる。また、「閾値よりも多くない」と言う表現は「閾値よりも少ない」という表現に置き換えることができ、これらの表現には「閾値以下」および「閾値未満」の意味が含まれる。
【０１０９】
また、本実施例で用いられたプログラムは、データ配信用のサーバのＨＤＤに記憶され、ネットワークを介して携帯電話機１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯端末にインストールされた場合、本実施例と同等の効果が得られる。
【０１１０】
そして、本明細書中で挙げた、具体的な数値は、いずれも単なる一例であり、製品の仕様変更などに応じて適宜変更可能である。
【符号の説明】
【０１１１】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
【図１】
2014232341.tif 000003
【図２】
2014232341.tif 000004
【図３】
2014232341.tif 000005
【図４】
2014232341.tif 000006
【図５】
2014232341.tif 000007
【図６】
2014232341.tif 000008
【図７】
2014232341.tif 000009
【図８】
2014232341.tif 000010
【図９】
2014232341.tif 000011
【図１０】
2014232341.tif 000012
【図１１】
2014232341.tif 000013
【図１２】
2014232341.tif 000014
【図１３】
2014232341.tif 000015
【図１４】
2014232341.tif 000016
【図１５】
2014232341.tif 000017
【図１６】
2014232341.tif 000018
【図１７】
2014232341.tif 000019